(57)【要約】【課題】より柔軟にネットワークに接続することが可能なプロジェクター等を提供すること。【解決手段】プロジェクター１００が、メモリーカード２１０に記憶された複数種のネットワーク設定情報を読み取るインターフェイス部１１０と、ネットワークに接続するためのネットワーク設定を選択可能なネットワーク設定選択画像を、前記複数種のネットワーク設定情報に基づいて生成する画像生成部１６０と、前記ネットワーク設定の選択を示す選択情報を入力する入力部１２０と、前記選択情報で示される選択されたネットワーク設定に基づき、前記ネットワークに接続する通信部１３０と、前記ネットワーク設定選択画像を投写する投写部１７０を含んで構成される。【選択図】図２
2010103897.tif 000002
【特許請求の範囲】
【請求項１】
携帯型情報記憶媒体に記憶された複数種のネットワーク設定情報を読み取るインターフェイス部と、
ネットワークに接続するためのネットワーク設定を選択可能なネットワーク設定選択画像を、前記複数種のネットワーク設定情報に基づいて生成する画像生成部と、
前記ネットワーク設定の選択を示す選択情報を入力する入力部と、
前記選択情報で示される選択されたネットワーク設定に基づき、前記ネットワークに接続する通信部と、
前記ネットワーク設定選択画像を投写する投写部と、
を含む、
プロジェクター。
【請求項２】
請求項１に記載のプロジェクターにおいて、
前記複数種のネットワーク設定情報を記憶する記憶部と、
前記記憶部に記憶されたネットワーク設定情報を更新する更新部と、
を含む、
プロジェクター。
【請求項３】
請求項２に記載のプロジェクターにおいて、
前記インターフェイス部は、前記記憶部に記憶されたネットワーク設定情報の少なくとも一部を前記携帯型情報記憶媒体に書き込む、
プロジェクター。
【請求項４】
インターフェイス部と、入力部と、通信部とを制御するプロジェクターにおけるコンピュータープログラムであって、
携帯型情報記憶媒体に記憶された複数種のネットワーク設定情報を前記インターフェイス部に読み取らせる機能と、
ネットワークに接続するためのネットワーク設定を選択可能なネットワーク設定選択画像を、前記複数種のネットワーク設定情報に基づいて生成する機能と、
前記ネットワーク設定の選択を示す選択情報を前記入力部に入力させる機能と、
前記選択情報で示される選択されたネットワーク設定に基づき、前記通信部に前記ネットワークに接続させる機能と、
を前記プロジェクターのコンピューターに実現させるプログラム。
【請求項５】
インターフェイス部と、入力部と、通信部とを制御するプロジェクターのコンピューターにより読み取り可能なプログラムを記憶した情報記憶媒体であって、
請求項４に記載のプログラムを記憶した、
情報記憶媒体。
【請求項６】
プロジェクターにおけるネットワーク接続方法において、
前記プロジェクターは、
携帯型情報記憶媒体に記憶された複数種のネットワーク設定情報を読み取り、
ネットワークに接続するためのネットワーク設定を選択可能なネットワーク設定選択画像を、前記複数種のネットワーク設定情報に基づいて生成し、
前記ネットワーク設定選択画像を投写し、
前記ネットワーク設定の選択を示す選択情報を入力し、
前記選択情報で示される選択されたネットワーク設定に基づき、前記ネットワークに接続する、
ネットワーク接続方法。
【発明の詳細な説明】
【技術分野】
【０００１】
本発明は、プロジェクター、プログラム、情報記憶媒体およびネットワーク接続方法に関する。
【背景技術】
【０００２】
プロジェクターのユーザーが、プロジェクターをネットワークに接続するためには、ＩＰアドレス、アクセスポイント等の設定を行う必要があり、高度な知識が必要とされる。プロジェクターをネットワークに簡単に接続させる手法として、特開２００５−２８５０９１号公報では、プロジェクターにおける設定情報をＵＳＢメモリーに格納しておき、当該ＵＳＢメモリーをＰＣ(Personal Computer)に接続して通信設定を行う手法が記載されている。
【特許文献１】特開２００５−２８５０９１号公報
【発明の開示】
【発明が解決しようとする課題】
【０００３】
しかし、当該手法は、アクセスポイントを用いないアドホックモード、アクセスポイントを用いるインフラストラクチャーモード、有線ＬＡＮモードのいずれかの設定を設定情報としてＵＳＢメモリーに格納する手法である。このため、当該手法では、接続形態が固定されてしまい、実際に適用される通信形態に応じて柔軟にネットワーク接続設定を変更することは困難である。
【０００４】
例えば、プロジェクターが会議室等で用いられる場合、プロジェクターとＰＣをアドホックモードで無線接続する場合もあれば、プロジェクターと複数のＰＣをアクセスポイント経由で無線接続する場合もある。このような場合、上記公報の手法では接続設定を行う手順は複雑になり、接続設定を行う時間もかかってしまう。
【０００５】
本発明の目的は、より柔軟にネットワークに接続することが可能なプロジェクター、プログラム、情報記憶媒体およびネットワーク接続方法を提供することにある。
【課題を解決するための手段】
【０００６】
上記課題を解決するため、本発明に係るプロジェクターは、携帯型情報記憶媒体に記憶された複数種のネットワーク設定情報を読み取るインターフェイス部と、ネットワークに接続するためのネットワーク設定を選択可能なネットワーク設定選択画像を、前記複数種のネットワーク設定情報に基づいて生成する画像生成部と、前記ネットワーク設定の選択を示す選択情報を入力する入力部と、前記選択情報で示される選択されたネットワーク設定に基づき、前記ネットワークに接続する通信部と、前記ネットワーク設定選択画像を投写する投写部と、を含むことを特徴とする。
【０００７】
また、本発明に係るプログラムは、インターフェイス部と、入力部と、通信部とを制御するプロジェクターにおけるコンピュータープログラムであって、携帯型情報記憶媒体に記憶された複数種のネットワーク設定情報を前記インターフェイス部に読み取らせる機能と、ネットワークに接続するためのネットワーク設定を選択可能なネットワーク設定選択画像を、前記複数種のネットワーク設定情報に基づいて生成する機能と、前記ネットワーク設定の選択を示す選択情報を前記入力部に入力させる機能と、前記選択情報で示される選択されたネットワーク設定に基づき、前記通信部に前記ネットワークに接続させる機能と、を前記プロジェクターのコンピューターに実現させることを特徴とする。
【０００８】
また、本発明に係る情報記憶媒体は、インターフェイス部と、入力部と、通信部とを制御するプロジェクターのコンピューターにより読み取り可能なプログラムを記憶した情報記憶媒体であって、上記プログラムを記憶したことを特徴とする。
【０００９】
また、本発明に係るネットワーク接続方法は、プロジェクターにおけるネットワーク接続方法において、前記プロジェクターは、携帯型情報記憶媒体に記憶された複数種のネットワーク設定情報を読み取り、ネットワークに接続するためのネットワーク設定を選択可能なネットワーク設定選択画像を、前記複数種のネットワーク設定情報に基づいて生成し、前記ネットワーク設定選択画像を投写し、前記ネットワーク設定の選択を示す選択情報を入力し、前記選択情報で示される選択されたネットワーク設定に基づき、前記ネットワークに接続することを特徴とする。
【００１０】
本発明によれば、プロジェクターは、携帯型情報記憶媒体から複数種のネットワーク設定情報を読み取る上、選択に応じたネットワーク設定でネットワークに接続することができるため、より柔軟にネットワークに接続することができる。
【００１１】
また、前記プロジェクターは、前記複数種のネットワーク設定情報を記憶する記憶部と、前記記憶部に記憶されたネットワーク設定情報を更新する更新部とを含んでもよい。
【００１２】
これによれば、プロジェクターは、ネットワーク設定情報を更新することにより、ネットワーク設定の追加等も行うことができるため、より柔軟にネットワークに接続することができる。
【００１３】
また、前記インターフェイス部は、前記記憶部に記憶されたネットワーク設定情報を前記携帯型情報記憶媒体に書き込んでもよい。
【００１４】
これによれば、プロジェクターは、自分のネットワーク設定情報を携帯型情報記憶媒体に書き込むことにより、他のプロジェクターが当該ネットワーク設定情報を読み取ってネットワークに接続することができるので、当該他のプロジェクターでのネットワーク設定が不要になるため、当該他のプロジェクターをより簡単にネットワークに接続させることができる。
【発明を実施するための最良の形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例におけるプロジェクター１００のネットワークの一例を示す図である。プロジェクター１００は、有線ＬＡＮ３００、無線ＬＡＮ３１０−１〜３１０−４等の種々のネットワークと接続可能に形成されている。プロジェクター１００は、これらのネットワークと接続するためのネットワーク設定情報をメモリーカード等の携帯型情報記憶媒体から読み取ってネットワークに接続する。
【００１７】
次に、このような機能を有するプロジェクター１００の機能ブロックについて説明する。図２は、第１の実施例におけるプロジェクター１００の機能ブロック図である。プロジェクター１００は、メモリーカード２１０に記憶された複数種のネットワーク設定情報の読み書きを行うインターフェイス部１１０と、ユーザーによる選択情報等を入力する入力部１２０と、ネットワークに接続する通信部１３０と、種々の処理を実行する処理部１４０と、種々のデータを記憶する記憶部１５０と、種々の画像を生成する画像生成部１６０と、当該画像を投写する投写部１７０を含んで構成されている。
【００１８】
また、処理部１４０は、記憶部１５０のデータを更新する更新部１４２と、種々の判定を行う判定部１４４と、種々の制御を行う制御部１４６を含んで構成されている。また、記憶部１５０は、ネットワーク設定情報を示す設定データ１５２、ユーザーの選択を示す選択データ１５４、画像データ１５６等を記憶している。
【００１９】
なお、プロジェクター１００は、これらの各部の機能を、以下のハードウェアを用いて実装してもよい。図３は、第１の実施例におけるプロジェクター１００のハードウェアブロック図である。
【００２０】
例えば、プロジェクター１００は、インターフェイス部１１０はカードインターフェイス９４０、カードスロット９４２等、入力部１２０は操作ボタン、リモートコントローラー等、通信部１３０は有線ＬＡＮアダプター９２０、有線ＬＡＮコネクター９２２、無線ＬＡＮアダプター９３０、無線ＬＡＮアンテナ９３２等、処理部１４０はＣＰＵ９１０等、記憶部１５０はＲＡＭ９５０、フラッシュＲＯＭ９６０等、画像生成部１６０は画像処理回路９７０等、投写部１７０は液晶パネル９８０等を用いて実装してもよい。なお、ＣＰＵ９１０等の各部は、バス９９０を介して相互に情報をやりとりすることが可能である。
【００２１】
また、プロジェクター１００は、画像生成部１６０等の機能を情報記憶媒体２００に記憶されたプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２２】
次に、本実施例におけるネットワーク設定時の処理手順について説明する。図４は、第１の実施例におけるネットワーク設定時の処理手順を示すフローチャートである。
【００２３】
メモリーカード２１０がインターフェイス部１１０に挿入された場合、制御部１４６は、メモリーカード２１０内のネットワーク設定情報をすべて読み取る。
【００２４】
なお、ネットワーク設定情報は、例えば、アドホック等の通信方式、アクセスポイントの情報、無線ＬＡＮの通信方式（ａ、ｂ、ｇ）、ＥＳＳＩＤ(Extended Service Set Identifier)、ＤＨＣＰの有効無効、ＩＰアドレス、サブネットマスク、ゲートウェイアドレス、セキュリティ設定、プロジェクター名、パスワード、メール通知機能の有効無効、ＳＭＴＰサーバー名、ポート番号、メールアドレス、通知イベントの設定、設定名、暗号方式等を示す情報である。
【００２５】
判定部１４４は、メモリーカード２１０内にネットワーク設定情報があるかどうかを判定する（ステップＳ１）。ネットワーク設定情報がある場合、画像生成部１６０は、当該ネットワーク設定情報と、設定データ１５２と、画像データ１５６に基づき、ネットワーク設定選択画像を生成し、投写部１７０は、当該ネットワーク設定選択画像を投写する（ステップＳ２）。
【００２６】
図５は、第１の実施例におけるネットワーク設定選択画像４００の一例を示す図である。ネットワーク設定選択画像４００は、１つのネットワークに接続するためのネットワーク設定を選択可能な画像である。例えば、ネットワーク設定選択画像４００では、各設定を識別するための「No.」、「設定名」、「ＥＳＳＩＤ」、５段階で電波強度を示す「電波強度」、「暗号方式」等が表示される。
【００２７】
なお、「設定名」、「ＥＳＳＩＤ」、「暗号方式」は、ネットワーク設定情報に含まれ、設定データ１５２の一部として記憶部１５０に記憶されている。また、「電波強度」は、ネットワーク設定選択画像４００の生成時等に通信部１３０が無線通信を行って決定することが可能であり、「No.」は、画像生成部１６０がネットワーク設定選択画像４００の生成時に付加することが可能である。
【００２８】
判定部１４４は、入力部１２０からの情報に基づき、ユーザーがネットワーク設定を選択したかどうかを判定する（ステップＳ３）。なお、入力部１２０は、ユーザーによるネットワーク設定の選択を示す選択情報を入力することが可能である。
【００２９】
ネットワーク設定の選択があった場合、更新部１４２は、選択情報に基づいて選択データ１５４を更新し（ステップＳ４）、制御部１４６は、選択されたネットワーク設定を通信部１３０に反映する（ステップＳ５）。例えば、ネットワーク設定選択画像４００で２番目が選択された場合、更新部１４２は、選択情報で示される選択されたネットワーク設定を一意に識別する情報（例えば、ＥＳＳＩＤ等）を選択データ１５４として記憶部１５０に記憶し、通信部１３０は、２番目のネットワークである無線ＬＡＮ３１０−２に接続する。
【００３０】
更新部１４２は、制御部１４６によって読み取られたネットワーク設定情報に基づき、設定データ１５２を更新（例えば、新たなネットワーク設定情報を設定データ１５２に追加、すべてのネットワーク設定情報を設定データ１５２に追加、ユーザーによって選択されたネットワーク設定情報のみを設定データ１５２に追加等）する（ステップＳ６）。
【００３１】
設定データ１５２の更新後、プロジェクター１００は、ネットワーク設定選択画像４００の投写を停止して処理を終了する。
【００３２】
以上の処理により、プロジェクター１００は、ユーザーの所望のネットワークに接続することができ、例えば、当該ネットワークに接続されたＰＣ等から画像情報を受信して画像を投写することができる。また、プロジェクター１００は、新たなネットワーク設定情報を設定データ１５２に反映することができる。
【００３３】
次に、プロジェクター１００におけるネットワーク設定情報の書き込み時の処理手順について説明する。図６は、第１の実施例におけるネットワーク設定情報の書き込み時の処理手順を示すフローチャートである。
【００３４】
メモリーカード２１０がインターフェイス部１１０に挿入され、ユーザーが書き込み指示操作を行った場合、判定部１４４は、メモリーカード２１０に既存のネットワーク設定情報があるかどうかを判定する（ステップＳ１１）。
【００３５】
既存のネットワーク設定情報がある場合、制御部１４６は、新たに書き込むネットワーク設定情報のファイル名を、メモリーカード２１０に記憶されたネットワーク設定情報のファイル名とは異なるファイル名に変更する（ステップＳ１２）。
【００３６】
インターフェイス部１１０は、制御部１４６による制御に応じて設定データ１５２で示されるネットワーク設定情報を既存のファイル名またはステップＳ１２で決定されたファイル名でメモリーカード２１０に書き込む（ステップＳ１３）。
【００３７】
以上のように、本実施例によれば、プロジェクター１００は、メモリーカード２１０から複数種のネットワーク設定情報を読み取る上、ユーザーの選択に応じたネットワーク設定でネットワークに接続することができるため、より柔軟にネットワークに接続することができる。
【００３８】
また、本実施例によれば、プロジェクター１００は、ネットワーク設定選択画像４００を生成する際に電波強度を測定して提示することができるため、実際の通信環境に適合した設定をユーザーに選択させやすくすることができる。
【００３９】
また、本実施例によれば、プロジェクター１００は、設定データ（ネットワーク設定情報）１５２を更新することにより、ネットワーク設定の追加等も行うことができるため、より柔軟にネットワークに接続することができる。
【００４０】
また、本実施例によれば、プロジェクター１００は、自分のネットワーク設定情報をメモリーカード２１０に書き込むことにより、他のプロジェクターが当該ネットワーク設定情報を読み取ってネットワークに接続することができるので、当該他のプロジェクターでのネットワーク設定が不要になるため、当該他のプロジェクターをより簡単にネットワークに接続させることができる。
【００４１】
（その他の実施例）
なお、本発明の適用は上述した実施例に限定されず、種々の変形が可能である。例えば、図６で示すファイル名の設定は必須ではなく、インターフェイス部１１０は、例えば、ＥＳＳＩＤが重複しないネットワーク設定情報のみをメモリーカード２１０に書き込んでもよい。
【００４２】
また、プロジェクター１００の構成は図２に示す例には限定されない。例えば、選択データ１５４、判定部１４４、制御部１４６等は必須の構成ではなく、インターフェイス部１１０、通信部１３０等は判定部１４４、制御部１４６等の機能を有してもよい。例えば、通信部１３０は、入力部１２０からの選択情報と、設定データ１５２に応じて選択されたネットワークに接続してもよい。
【００４３】
また、携帯型情報記憶媒体は、メモリーカード２１０等のカード型情報記憶媒体には限定されず、例えば、ＵＳＢメモリー等のスティック型情報記憶媒体、ＤＶＤ等の書き換え可能なディスク型情報記憶媒体等であってもよい。
【００４４】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００の機能を複数の装置（例えば、ＰＣとプロジェクタ等）に分散して実装してもよい。
【図面の簡単な説明】
【００４５】
【図１】第１の実施例におけるプロジェクターのネットワークの一例を示す図である。
【図２】第１の実施例におけるプロジェクターの機能ブロック図である。
【図３】第１の実施例におけるプロジェクターのハードウェアブロック図である。
【図４】第１の実施例におけるネットワーク設定時の処理手順を示すフローチャートである。
【図５】第１の実施例におけるネットワーク設定選択画像の一例を示す図である。
【図６】第１の実施例におけるネットワーク設定情報の書き込み時の処理手順を示すフローチャートである。
【符号の説明】
【００４６】
１００  プロジェクター、１１０  インターフェイス部、１２０  入力部、１３０  通信部、１４０  処理部、１４２  更新部、１４４  判定部、１４６  制御部、１５０  記憶部、１５２  設定データ（ネットワーク設定情報）、１５４  選択データ、１５６  画像データ、１６０  画像生成部、１７０  投写部、２００  情報記憶媒体、２１０  メモリーカード（携帯型情報記憶媒体）、３００  有線ＬＡＮ（ネットワーク）、３１０  無線ＬＡＮ（ネットワーク）、４００  ネットワーク設定選択画像、９１０  ＣＰＵ、９２０  有線ＬＡＮアダプター、９２２  有線ＬＡＮコネクター、９３０  無線ＬＡＮアダプター、９３２  無線ＬＡＮアンテナ、９４０  カードインターフェイス、９４２  カードスロット、９５０  ＲＡＭ、９５２  ９６０  フラッシュＲＯＭ、９７０  画像処理回路、９８０  液晶パネル
【図１】
2010103897.tif 000003
【図２】
2010103897.tif 000004
【図３】
2010103897.tif 000005
【図４】
2010103897.tif 000006
【図５】
2010103897.tif 000007
【図６】
2010103897.tif 000008